(57)【特許請求の範囲】
【請求項１】
電線と、
電線加締め部の加締め底板部から起立する導体加締め片によって前記加締め底板部に載置した前記電線の導体を圧着する端子と、
圧着された前記導体の露出部及び前記電線加締め部を防食樹脂により覆って形成された防食樹脂成形部と、を備え、
前記導体加締め片の前端部に形成され、前記防食樹脂成形部が前記電線加締め部から剥離するのを防止するための剥離防止部は、
前記導体の末端部より端子前方に突出するように、前記加締め底板部に載置された前記導体を両側部から巻き込むように屈曲された前記導体加締め片の前端縁から突出する突出部と、
前記導体の末端部が端子側方に露出するように前記突出部に形成された開口部と、
を有することを特徴とする端子付電線。
【請求項２】
前記開口部が、前記突出部に形成される内周の閉じた開口であることを特徴とする請求項１記載の端子付電線。
【請求項３】
前記開口部が、前記突出部の端縁を切り欠いて形成した切欠であることを特徴とする請求項１に記載の端子付電線。  
【発明の詳細な説明】
【技術分野】
【０００１】
本発明は、端子付電線に関する。
【背景技術】
【０００２】
一般に、ワイヤハーネスにおける電線の端部には、導電金属製の圧着端子が取り付けられる。この圧着端子を備える端子付電線において、電線における絶縁被覆の端部及びそこから伸び出た芯線の部分を含む領域を覆うように防食剤が塗布される場合がある。例えば、端子付電線における電線の芯線がアルミニウム線である場合、銅合金製の圧着端子と接触するアルミニウム線は、異種金属接触腐食によって腐食しやすい。防食剤は、そのような異種金属接触腐食の防止に有効である。防食剤は、一般に、シリコン系、アクリル系、ウレタン系、ポリアミド系又はエポキシ系の樹脂である。
【０００３】
ところが、端子付電線において、圧着端子及び電線に対する樹脂製の防食剤の密着性は十分に高いとはいえない。即ち、従来の端子付電線は、電線の端部に形成された防食剤に対して応力が加わった場合に、防食剤が電線及び圧着端子から剥がれやすいという問題点を有している。
【０００４】
そこで、特許文献１に開示される端子付電線が提案された。図８に示すように、この端子付電線５０１は、電線５０３とその電線５０３の端部に取り付けられた圧着端子５０５とを備える。圧着端子５０５は、被覆圧着部５０７と、芯線圧着部５０９と、端子接続部５１１と、第一連結部５１３と、第二連結部５１５とを有する。被覆圧着部５０７は、電線５０３の端部における絶縁被覆５１７に圧着された部分である。芯線圧着部５０９は、電線５０３の端部における絶縁被覆５１７から伸び出た芯線５１９に圧着された部分である。端子接続部５１１は、相手側の端子（不図示）に接続される部分である。第一連結部５１３は、被覆圧着部５０７と芯線圧着部５０９とを繋ぐ部分である。第二連結部５１５は、芯線圧着部５０９と端子接続部５１１とを繋ぐ部分である。
更に、端子付電線５０１は、圧着端子５０５における被覆圧着部５０７の外周面及び第二連結部５１５の表面の各々に分布して形成された突起部５２１と、防食剤５２３とを備える。防食剤５２３は、電線５０３における圧着端子５０５の被覆圧着部５０７が圧着された部分から芯線５１９の先端までの保護領域と、圧着端子５０５における電線５０３の保護領域の周囲に位置する部分とを覆う。
【０００５】
この端子付電線５０１によれば、突起部５２１が、圧着端子５０５における防食剤５２３が形成される領域の両端付近の表面に分布して形成されるので、従来の圧着端子に比べ、防食剤５２３との接触面積が大きくなり、防食剤５２３との密着性が高い。突起部５２１は、防食剤５２３に応力が加わった場合に、防食剤５２３に引っ掛かる。そのため、端子付電線５０１は、電線５０３の端部に形成された防食剤５２３に応力が加わった場合に、電線５０３及び圧着端子５０５から防食剤５２３を剥がれにくくすることができる。
【先行技術文献】
【特許文献】
【０００６】
【特許文献１】特開２０１２−１２４１００号公報
【発明の概要】
【発明が解決しようとする課題】
【０００７】
しかしながら、上記従来の端子付電線５０１の圧着端子５０５における被覆圧着部５０７の外周面及び第二連結部５１５の表面の各々に分布する突起部５２１だけでは、防食剤５２３との密着性が不十分であった。特に、型閉めされた成形金型により圧着端子５０５の周囲に防食剤５２３を成形後、成形金型から端子付電線５０１を離脱させる際、防食剤５２３が圧着端子５０５から成形金型の離脱方向に剥離してしまうことがあった。これは、被覆圧着部５０７等の表面に形成した突起部５２１では、突起部５２１と防食剤５２３の凹凸による引っ掛かり寸法が小さいことに起因する。すなわち、凹凸面同士の引っ掛かりでは十分な接合強度が得られず、離型時の成形金型(上型)に防食剤５２３が引っ張られ、防食剤５２３が圧着端子５０５から剥がれてしまう。
【０００８】
本発明は上記状況に鑑みてなされたもので、その目的は、防食樹脂と端子の接合強度を高め、圧着端子からの防食樹脂の剥がれを防止できる端子付電線を提供することにある。
【課題を解決するための手段】
【０００９】
本発明に係る上記目的は、下記構成により達成される。
（１）  電線と、電線加締め部の加締め底板部から起立する導体加締め片によって前記加締め底板部に載置した前記電線の導体を圧着する端子と、圧着された前記導体の露出部及び前記電線加締め部を防食樹脂により覆って形成された防食樹脂成形部と、を備え、前記導体加締め片の前端部に形成され、前記防食樹脂成形部が前記電線加締め部から剥離するのを防止するための剥離防止部は、前記導体の末端部より端子前方に突出するように、前記加締め底板部に載置された前記導体を両側部から巻き込むように屈曲された前記導体加締め片の前端縁から突出する突出部と、前記導体の末端部が端子側方に露出するように前記突出部に形成された開口部と、を有することを特徴とする端子付電線。  
【００１０】
上記（１）の構成の端子付電線によれば、加締め底板部に載置された導体を両側部から巻き込むように屈曲された導体加締め片の前端縁に突出部が設けられているため、防食樹脂成形部が形成されると、突出部の下側にも防食樹脂成形部が存在することになる。そこで、突出部に防食樹脂成形部の一部が引っ掛かることになる。従って、防食樹脂成形部に外力が加わっても、防食樹脂成形部が電線加締め部から剥離することがない。
また、突出部には導体の末端部が端子側方に露出する開口部が設けられているため、防食樹脂成形部が形成される際、この開口部と電線加締め部の前方開口とから突出部の内側に流入した防食樹脂が、導体の末端部を確実に覆うことができる。即ち、突出部に開口部が設けられない場合、防食樹脂は、袋小路状の突出部の内側に電線加締め部の前方開口から流入しなければならず、空気溜まりが生じて導体の末端部を確実に覆うことができないおそれがある。  
【００１１】
（２）  前記開口部が、前記突出部に形成される内周の閉じた開口であることを特徴とする上記（１）の構成の端子付電線。  
【００１２】
上記（２）の構成の端子付電線によれば、開口部が、内周の閉じた開口となることで、開口部を貫通した防食樹脂が突出部の一部表裏面を囲繞することになる。従って、突出部は、電線加締め部から剥離しようとする防食樹脂成形部に対して十分に抵抗することができる。
【００１３】
（３）  前記開口部が、前記突出部の端縁を切り欠いて形成した切欠であることを特徴とする上記（１）の構成の端子付電線。
【００１４】
上記（３）の構成の端子付電線によれば、導体加締め片の端縁に切欠を形成するだけで、突出部に開口部を形成することができ、端子形成が容易となる。
【発明の効果】
【００１５】
本発明に係る端子付電線によれば、防食樹脂と端子の接合強度を高め、圧着端子からの防食樹脂の剥がれを防止できる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】本発明の第１実施形態に係る端子付電線の斜視図である。
【図２】図１に示した端子付電線の導体加締め片における軸線を含む縦断面図である。
【図３】図１に示した端子を要部拡大図と共に表した斜視図である。
【図４】図２のＡ部拡大図である。
【図５】（ａ）は本発明の第２実施形態に係る端子付電線の防食樹脂成形部が形成される前の要部斜視図、（ｂ）は（ａ）の平面図である。
【図６】第２実施形態に係る端子付電線の防食樹脂成形部が形成された後の斜視図である。
【図７】図６に示した端子付電線の導体加締め片における軸線を含む要部縦断面図である。
【図８】従来の端子付電線における主要部の側面図である。
【発明を実施するための形態】
【００１８】
以下、本発明に係る実施形態を図面を参照して説明する。
図１及び図２に示すように、本発明の第１実施形態に係る端子付電線１１は、電線１３と、端子１５と、防食樹脂成形部１７と、を主要な構成として有している。
【００１９】
電線１３は、長尺な導体１９と、その導体１９の周囲を覆う絶縁体である絶縁被覆２１とを有する。端子１５が取り付けられる電線１３の末端部は、予め一定の長さの分の導体１９の周囲から絶縁被覆２１が剥がれた状態、即ち、一定の長さ分の導体１９が絶縁被覆２１から伸び出た状態に加工されている。導体１９には、例えば、銅又はアルミニウムを主成分とする導電金属の線材が用いられる。本実施形態では、導体１９にアルミニウムを主成分とするアルミニウム合金が用いられる。導体１９は、複数の素線を有する撚り線または単線とすることができる。
【００２０】
端子１５は、銅合金板をプレス加工することによって形成されている。本実施形態における端子１５は、コネクタハウジング（図示せず）に対して圧入される雄端子となっている（一例であるものとする）。
端子１５は、図３に示すように、端子接続部２３と、筒部２５と、第１連結部２７と、第２連結部２９と、電線加締め部３０と、を備えて構成されている。なお、本明細書中、端子付電線１１は、端子接続部２３が設けられる側を前端側と、電線加締め部３０が設けられる側を後端側と、それぞれ定義するものとする。
【００２１】
端子接続部２３は、細長く真っ直ぐな形状に形成されている。端子接続部２３は、相手方となる雌端子（図示せず）に電気的に接続される部分として形成されている。
【００２２】
筒部２５は、端子接続部２３の後端側に設けられており、コネクタハウジング内に形成される端子収容室（図示せず）の形状に合わせて略箱状に形成されている。
【００２３】
第１連結部２７は、端子接続部２３と筒部２５とが連結される部分として設けられており、後端側に行くに従って幅が広くなるように形成されている。
【００２４】
第２連結部２９は、筒部２５と電線加締め部３０とが連結される部分として設けられている。第２連結部２９は、底壁３５と、底壁３５の両側端から立設された一対の側壁３７とを備えている。底壁３５と一対の側壁３７は、筒部２５と電線加締め部３０に連続して形成されている。
【００２５】
電線加締め部３０は、導体１９を加締める導体加締め部３１と、絶縁被覆２１の上から電線１３を加締める被覆加締め部３３と、を有する。
導体加締め部３１は、加締め底板部３９と、導体加締め片４１と、を有する。加締め底板部３９は、第２連結部２９の底壁３５に連続して形成されている。加締め底板部３９の側部からは導体加締め片４１が起立して形成されている。本第１実施形態では、加締め底板部３９の両側部から一対の導体加締め片４１が起立して形成される。一対の導体加締め片４１は、帯板状に形成されている。一対の導体加締め片４１は、起立先端４３が上方に向けて立ち上げられ、Ｕ字状に湾曲するように形成されている。一対の導体加締め片４１は、電線１３の導体１９が加締めによって圧着される部分として設けられている。すなわち、一対の導体加締め片４１は、導体加締め部３１において、加締め底板部３９に載置した電線１３の導体１９を圧着することで、導体１９が導体加締め部３１に圧着される。
【００２６】
被覆加締め部３３は、電線加締め部３１の後端側に設けられている。被覆加締め部３３は、一対の被覆加締め片４５を有する。一対の被覆加締め片４５は、帯板状に形成されている。一対の被覆加締め片４５は、両側端が端子１５の上方に向けて立ち上げられ、Ｕ字状に湾曲するように形成されている。一対の被覆加締め片４５は、電線１３の絶縁被覆２１で被覆された箇所が加締めによって圧着される部分として設けられている。
【００２７】
防食樹脂成形部１７は、圧着された導体１９の露出部及び電線加締め部３０を防食樹脂により覆って形成される。防食樹脂成形部１７は、導体１９と端子１５との接続箇所に水が浸入することによって発生する電食を防止するために設けられている。そして、防食樹脂成形部１７は、第２連結部２９の一対の側壁３７から電線１３の端末部の絶縁被覆２１までの範囲を覆って形成されている。防食樹脂成形部１７を形成する防食樹脂は、例えば、シリコン系、アクリル系、ウレタン系、ポリアミド系又はエポキシ系の樹脂である。また、防食樹脂は、透明、半透明、又は透明ではない樹脂とすることができる。
【００２８】
更に、防食樹脂成形部１７が電線加締め部３０から剥離するのを防止するための剥離防止部５３が、導体加締め片４１の前端部に形成されている。本第１実施形態において、剥離防止部５３は、それぞれの導体加締め片４１に形成されており、導体１９の末端部である前端面４７より端子前方に突出するように導体加締め片４１の前端縁から突出する突出部４９と、導体１９の前端面４７が端子側方（本実施形態では、図１中上方）に露出するように突出部４９に形成された開口部５１と、を有する。
【００２９】
本第１実施形態において、開口部５１は、それぞれの導体加締め片４１に形成される内周の閉じた開口である。開口部５１は、加締め片４１の前端側において、加締め底板部３９から離反方向に長い例えば矩形状に形成される。開口部５１の形状は、矩形状に限定されない。この他、開口部５１は、正方形、円形、長円形、三角形、六角形等の多角形であってもよい。
【００３０】
次に、本第１実施形態に係る端子付電線１１の製造方法を説明する。
端子付電線１１を製造するには、先ず、端子１５が、圧着装置（図示略）のアンビルにセットされる。電線１３は、絶縁被覆２１が端子１５の被覆加締め部３３の上、導体１９が導体加締め部３１の上となるように上方から載置される。この際、導体１９は、図４に示すように、前端面４７が開口部５１における前後方向の略中央部となる位置で位置決めされる。
【００３１】
次いで、導体加締め部３１の上からクリンパを降ろして、アンビルとクリンパとで導体加締め部３１を挟み込む。これにより、導体加締め部３１の一対の導体加締め片４１は、加締め底板部３９に載置された導体１９を、両側部から巻き込むように屈曲される。
【００３２】
また、上述の導体加締め部３１の圧着と同時に、被覆加締め部３３の上から被覆用のクリンパを降ろして、被覆用のアンビルとクリンパとで被覆加締め部３３を挟み込んで、被覆加締め片４５を巻き込むように屈曲させる。
【００３３】
これにより、導体１９を両外側から巻き込むように一対の加締め片４１によって隣接する二山状の圧着状態が構成される（図１参照）。この際、導体１９の前端面４７が、突出部４９の端子側方に形成された開口部５１から露出している。なお、被覆加締め部３３は、絶縁被覆２１の両外側から一対の被覆加締め片４５によって包囲するようにして一山状の圧着状態が構成される。
【００３４】
このようにして電線１３の末端部が端子１５の電線加締め部３０に電気的に接続された後、上下型からなる成形金型（図示略）に端子１５がセットされ、成形金型内のキャビティに防食樹脂が注入される。そうすると、図２に示すように、一対の側壁３７から電線１３の端末部までの外周が防食樹脂によって完全に覆われる。すなわち、導体１９と端子１５との接続部分における導体露出部が防食樹脂によって覆われる。また、導体加締め部３１の突出部４９の内側にも、開口部５１と電線加締め部３０の前方開口３０ａとから防食樹脂が流入する。すなわち、突出部４９の内側は、防食樹脂に満たされることになる。そして、この防食樹脂が固化することによって防食樹脂成形部１７が形成され、図１に示す本第１実施形態の端子付電線１１が完成する。
【００３５】
次に、上記した構成の端子付電線１１の作用を説明する。
本第１実施形態に係る端子付電線１１では、電線１３は、導体１９が端子１５の導体加締め部３１に設けられた一対の加締め片４１によって加締め付けられる。
導体１９は、加締められることで、防食樹脂成形部１７の成形前において、一部分が加締め底板部３９と導体加締め片４１に覆われ、他の部分が加締め底板部３９と導体加締め片４１に覆われずに露出する。すなわち、導体１９の前端面４７は、未だ防食樹脂が成形されていない開口部５１を介して端子側方に露出している。この状態で、電線加締め部３０が防食樹脂によって覆われ、防食樹脂成形部１７が形成される。防食樹脂は、導体加締め部３０を覆う際、開口部５１と電線加締め部３０の前方開口３０ａとから突出部４９の内側に流入する。
【００３６】
本第１実施形態に係る端子付電線１１によれば、導体加締め片４１の前端縁に突出部４９が設けられているため、防食樹脂成形部１７が形成されると、突出部４９の下側にも防食樹脂成形部１７が存在することになる。そこで、突出部４９に防食樹脂成形部１７の一部が引っ掛かることになる。従って、防食樹脂成形部１７に外力が加わっても、防食樹脂成形部１７が電線加締め部３０から剥離することがない。その結果、特に、離型時の成形金型(上型)に防食樹脂成形部１７が引っ張られ、図４に想像線で示すように防食樹脂成形部１７が端子１５から剥がれることが防止される。
【００３７】
また、突出部４９には導体１９の前端面４７が端子側方に露出する開口部５１が設けられているため、防食樹脂成形部１７が形成される際、この開口部５１と電線加締め部３０の前方開口３０ａとから突出部４９の内側に流入した防食樹脂が、導体１９の前端面４７を確実に覆うことができる。即ち、突出部４９に開口部５１が設けられない場合、防食樹脂は、袋小路状の突出部の内側に電線加締め部３０の前方開口３０ａから流入しなければならず、空気溜まりが生じて導体１９の前端面４７を確実に覆うことができないおそれがある。
【００３８】
また、本第１実施形態に係る端子付電線１１では、開口部５１が、内周の閉じた開口となることで、図４に示すように、開口部５１を貫通した防食樹脂が突出部４９の一部表裏面（前端側表裏面）を囲繞することになる。従って、突出部４９は、電線加締め部３０から剥離しようとする防食樹脂成形部１７に対して十分に抵抗することができる。
【００３９】
次に、本発明の第２実施形態に係る端子付電線５７を説明する。なお、上記第１実施形態に係る端子付電線１１の構成と同等の端子付電線５７構成には、同一の符号を付し重複する説明は省略する。
図５（ａ）及び（ｂ）に示すように、本発明の第２実施形態に係る端子付電線５７は、剥離防止部６０が、それぞれの導体加締め片５９に形成されており、導体１９の末端部である前端面４７より端子前方に突出するように導体加締め片５９の前端縁から突出する突出部６１と、導体１９の前端面４７が端子側方（本実施形態では、図５（ａ）中上方）に露出するように突出部６１に形成された開口部６３と、を有する。
【００４０】
本第２実施形態において、剥離防止部６０の開口部６３は、それぞれの導体加締め片５９の端縁を切り欠いて形成した切欠である。本第２実施形態において、導体加締め片５９に切り欠かれる端縁は、起立する一対の加締め片５９の前端側における突出上端の角部を含む。すなわち、導体加締め片５９は、前端側における突出上端の角部が、Ｌ字状に切りかかれている。端子６５の他の構成は、第１実施形態の端子１５の構成と同様である。
【００４１】
本第２実施形態に係る端子付電線５７では、電線１３は、導体１９が端子６５の導体加締め部３１に設けられた一対の加締め片５９によって加締め付けられる。
導体１９は、加締められることで、防食樹脂成形部１７の成形前において、一部分が加締め底板部３９と導体加締め片５９に覆われ、他の部分が加締め底板部３９と導体加締め片５９に覆われずに露出する。すなわち、導体１９の前端面４７は、未だ防食樹脂が成形されていない開口部６３を介して端子側方に露出している。この状態で、電線加締め部３０が防食樹脂によって覆われ、防食樹脂成形部１７が形成される。防食樹脂は、導体加締め部３０を覆う際、開口部６３と電線加締め部３０の前方開口３０ａとから突出部６１の内側に流入する。
【００４２】
本第２実施形態に係る端子付電線５７によれば、導体加締め片５９の前端縁に突出部６１が設けられているため、図６及び図７に示すように防食樹脂成形部１７が形成されると、突出部６１の下側にも防食樹脂成形部１７が存在することになる。そこで、突出部６１に防食樹脂成形部１７の一部が引っ掛かることになる。従って、防食樹脂成形部１７に外力が加わっても、防食樹脂成形部１７が電線加締め部３０から剥離することがない。その結果、特に、離型時の成形金型(上型)に防食樹脂成形部１７が引っ張られても、防食樹脂成形部１７が端子６５から剥がれることが防止される。
また、本第２実施形態に係る端子付電線５７によれば、導体加締め片５９の前端縁に切欠を形成するだけで、突出部６１に開口部６３を形成することができ、端子形成が容易となる。
【００４３】
従って、本実施形態に係る端子付電線１１，５７によれば、防食樹脂成形部１７と端子１５，６５の接合強度を高め、端子１５，６５からの防食樹脂成形部１７の剥がれを防止できる。
【００４４】
ここで、上述した本発明に係る端子付電線の実施形態の特徴をそれぞれ以下に簡潔に纏めて列記する。
［１］  電線（１３）と、電線加締め部（３０）の加締め底板部（３９）から起立する導体加締め片（４１）によって前記加締め底板部（３９）に載置した前記電線（１３）の導体（１９）を圧着する端子（１５）と、圧着された前記導体（１９）の露出部及び前記電線加締め部（３０）を防食樹脂により覆って形成された防食樹脂成形部（１７）と、を備え、
前記導体加締め片（４１）の前端部に形成され、前記防食樹脂成形部（１７）が前記電線加締め部（３０）から剥離するのを防止するための剥離防止部（５３）は、前記導体（１９）の末端部（前端面４７）より端子前方に突出するように前記導体加締め片（４１）の前端縁から突出する突出部（４９）と、前記導体（１９）の末端部(前端面４７)が端子側方に露出するように前記突出部（４９）に形成された開口部（５１）と、を有することを特徴とする端子付電線（１１）。
［２］  前記開口部（５１）が、前記導体加締め片（４１）に形成される内周の閉じた開口であることを特徴とする上記［１］の構成の端子付電線（１１）。
［３］  前記開口部（６３）が、前記導体加締め片（５９）の端縁を切り欠いて形成した切欠であることを特徴とする上記［１］の構成の端子付電線（５７）。
【００４５】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４６】
１１…端子付電線
１３…電線
１５…端子
１７…防食樹脂成形部
１９…導体
３０…電線加締め部
３１…導体加締め部
３９…加締め底板部
４１…導体加締め片
４７…前端面（末端部）
４９…突出部
５１…開口部
５３…剥離防止部
【図１】
0006302390.tif 000002
【図２】
0006302390.tif 000003
【図３】
0006302390.tif 000004
【図４】
0006302390.tif 000005
【図５】
0006302390.tif 000006
【図６】
0006302390.tif 000007
【図７】
0006302390.tif 000008
【図８】
0006302390.tif 000009